(57)【特許請求の範囲】
【請求項１】
発光演出を行う発光演出手段を備えた遊技機であって、
前記発光演出手段は、
発光部と、
駆動手段の駆動により前記発光部の周囲を回転し、該発光部の光を回転軸線と交差する方向へ反射する回転リフレクタと、
前記回転リフレクタの回転軸線に直交する基準線の一方側に、該回転リフレクタの回転領域の外側に位置するよう配置され、当該回転リフレクタで反射された反射光を当該基準線の他方側へ向けて反射する固定リフレクタとを備え、
前記固定リフレクタは、前記回転リフレクタの回転軸線と平行で基準線に直交する基準面に対して傾斜する第１の反射面および第２の反射面を、当該第１の反射面の間に第２の反射面が隣接するよう回転リフレクタの周方向に備えると共に、当該第２の反射面の前記基準面に対する前記回転リフレクタの周方向の傾斜角度は、隣接する両第１の反射面の当該基準面に対する回転リフレクタの周方向の傾斜角度よりも小さくなるよう構成された
ことを特徴とする遊技機。
【請求項２】
前記固定リフレクタは、前記回転リフレクタの回転軸線方向に前記第１の反射面および第２の反射面の夫々が連続するよう各反射面を複数備えると共に、該回転軸線方向に隣接する前記第１の反射面および第２の反射面の夫々は、当該回転軸線における前記発光部の配置端部側に位置する反射面から離間するにつれて、回転軸線に対する傾斜角度が大きくなるよう形成される請求項１記載の遊技機。
【請求項３】
発光演出を行う発光演出手段を備えた遊技機であって、
前記発光演出手段は、
発光体および当該発光体の光を透過する光透過性のレンズ部材を備えた発光部と、
駆動手段の駆動により前記発光部の周囲を回転し、該発光部のレンズ部材を透過した光を回転軸線と交差する方向へ反射する回転リフレクタと、
前記回転リフレクタの回転軸線に直交する基準線の一方側に、該回転リフレクタの回転領域の外側に位置するよう配置され、当該回転リフレクタで反射された反射光を当該基準線の他方側へ向けて反射する固定リフレクタとを備え、
前記発光部のレンズ部材の端面に、前記発光体の光の一部を回転軸線と直交する方向へ反射させる凹面反射部が設けられ、
前記回転リフレクタの周方向端部には、前記レンズ部材の凹面反射部に対して前記基準線方向に整列し得る高さ位置に、該回転リフレクタの周方向に延在する光透過部が形成されて、当該回転リフレクタの回転に伴って、該光透過部を介して前記凹面反射部で反射された光が基準線の前記他方側へ照射し得る状態および当該基準線の他方側へ向けて凹面反射部で反射された光が回転リフレクタで遮蔽される状態に変化するよう構成された
ことを特徴とする遊技機。
【発明の詳細な説明】
【技術分野】
【０００１】
本発明は、遊技機に関し、更に詳細には、回転する光反射部材に光を照射して反射光の照射方向を回転変位させる発光演出装置を備えた遊技機に関するものである。
【背景技術】
【０００２】
代表的な遊技機であるパチンコ機は、遊技盤の盤面に画成した遊技領域の略中央位置に枠状装飾部材(所謂センター役物)が配設されており、この装飾部材の開口部を介して複数の図柄を変動表示して図柄変動演出を行なう液晶式やドラム式等の図柄表示装置を後方から臨ませると共に、該遊技盤における装飾部材の下方位置に、パチンコ球(遊技球)の入賞により図柄表示装置での変動を開始させる始動入賞装置や大当り時等に開放する特別入賞装置を配設するよう構成されたものが多数提案されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、前記図柄表示装置で図柄変動ゲームに伴うリーチ演出等の各種の遊技演出がなされ、該図柄表示装置に図柄が所定の組み合わせで停止することにより所謂大当りが発生し、遊技盤に設けられた特別入賞装置が開放して多数の賞球を獲得し得るよう構成される。
【０００３】
また、前述したパチンコ機には、ランプやＬＥＤ等の発光体を設けた発光演出装置が前記装飾部材や遊技盤の盤面等に配設されており、前記図柄表示装置での図柄変動演出に合わせて発光体を適宜に点灯(点滅)・消灯させて発光演出することにより、遊技の臨場感や迫力を高めて遊技の興趣を向上するよう構成されている。このような前記発光演出装置として、発光体の周囲を回転移動する光反射部材を備え、該光反射部材の回転に伴って発光体からの光の反射方向を回転変位させるものが知られており(例えば、特許文献１参照)、経時的に反射光の照射方向が変化することで、所定位置で発光体を点灯・消灯させる発光演出とは異なる演出効果を実現している。
【先行技術文献】
【特許文献】
【０００４】
【特許文献１】特開２００４−７３３２５号公報
【発明の概要】
【発明が解決しようとする課題】
【０００５】
ところで、回転する光反射部材に光を照射して反射光の反射方向を変化させる従来の発光演出装置では、光反射部材が単純な曲面形状に形成されているため、発光体からの光が前面側だけでなく広範囲に拡散していた。このため、光反射部材を回転させた際に、遊技者側に照射される光量が低下して光の照射位置の変化が曖昧になる欠点が指摘される。
【０００６】
すなわち本発明は、従来の技術に係る遊技機に内在する前記課題に鑑み、これを好適に解決するべく提案されたものであって、優れた発光演出効果を期待し得る遊技機を提供することを目的とする。
【課題を解決するための手段】
【０００７】
前記課題を解決し、所期の目的を達成するため、本発明の請求項１に係る発明は、
発光演出を行う発光演出手段(100)を備えた遊技機であって、
前記発光演出手段(100)は、
発光部(102)と、
駆動手段(107)の駆動により前記発光部(102)の周囲を回転し、該発光部(102)の光を回転軸線(R)と交差する方向へ反射する回転リフレクタ(110)と、
前記回転リフレクタ(110)の回転軸線(R)に直交する基準線(L)の一方側に、該回転リフレクタ(110)の回転領域の外側に位置するよう配置され、当該回転リフレクタ(110)で反射された反射光を当該基準線(L)の他方側へ向けて反射する固定リフレクタ(115)とを備え、
前記固定リフレクタ(115)は、前記回転リフレクタ(110)の回転軸線(R)と平行で基準線(L)に直交する基準面(M)に対して傾斜する第１の反射面(117)および第２の反射面(119)を、当該第１の反射面(117)の間に第２の反射面(119)が隣接するよう回転リフレクタ(110)の周方向に備えると共に、当該第２の反射面(11)の前記基準面(M)に対する前記回転リフレクタ(110)の周方向の傾斜角度は、隣接する両第１の反射面(117)の基準面(M)に対する回転リフレクタ(110)の周方向の傾斜角度よりも小さくなるよう構成されたことを要旨とする。
このように、固定リフレクタに設けた第２の反射面の基準面に対する回転リフレクタの周方向の傾斜角度を、隣接する両第１の反射面の基準面に対する回転リフレクタの周方向へ傾斜する傾斜角度よりも小さくなるよう設定することで、第２の反射面で反射された光を外側に位置する第１の反射面側に反射することができ、回転リフレクタから離れて位置する第１の反射面に照射される光量が低下するのを防止できる。
【０００８】
請求項２に係る発明は、
前記固定リフレクタ(115)は、前記回転リフレクタ(110)の回転軸線方向に前記第１の反射面(117)および第２の反射面(119)の夫々が連続するよう各反射面(117,119)を複数備えると共に、該回転軸線(R)方向に隣接する前記第１の反射面(117)および第２の反射面(119)の夫々反射面(117)は、当該回転軸線(R)における前記発光部(102)の配置端部側に位置する反射面(117,119)から離間するにつれて、回転軸線(R)に対する傾斜角度が大きくなるよう形成されることを要旨とする。
このように、回転リフレクタの回転軸線方向に連続して設けられた第１および第２の反射面の夫々を、当該回転軸線における発光部の配置側端部に位置する反射面から離間するにつれて、当該回転軸線に対する傾斜角度が大きくなるよう設定することで、固定リフレクタで反射された光が広範囲に拡散するのを抑制できる。
【００１０】
請求項３に係る発明は、
発光演出を行う発光演出手段(100)を備えた遊技機であって、
前記発光演出手段(100)は、
発光体(103a)および当該発光体(103a)の光を透過する光透過性のレンズ部材(104)を備えた発光部(102)と、
駆動手段(107)の駆動により前記発光部(102)の周囲を回転し、該発光部(102)のレンズ部材(104)を透過した光を回転軸線(R)と交差する方向へ反射する回転リフレクタ(110)と、
前記回転リフレクタ(110)の回転軸線(R)に直交する基準線(L)の一方側に、該回転リフレクタ(110)の回転領域の外側に位置するよう配置され、当該回転リフレクタ(110)で反射された反射光を当該基準線(L)の他方側へ向けて反射する固定リフレクタ(115)とを備え、
前記発光部(102)のレンズ部材(104)の端面に、前記発光体(103a)の光の一部を回転軸線(R)と直交する方向へ反射させる凹面反射部(105)が設けられ、
前記回転リフレクタ(110)の周方向端部には、前記レンズ部材(104)の凹面反射部(105)に対して前記基準線(L)方向に整列し得る高さ位置に、該回転リフレクタ(110)の周方向に延在する光透過部(112)が形成されて、当該回転リフレクタ(110)の回転に伴って、該光透過部(112)を介して前記凹面反射部(105)で反射された光が基準線(L)の前記他方側へ照射し得る状態および当該基準線(L)の他方側へ向けて凹面反射部(105)で反射された光が回転リフレクタ(110)で遮蔽される状態に変化するよう構成されたことを要旨とする。
このように、回転リフレクタの周方向端部に対して、発光部のレンズ部材に端面に設けた凹面反射部と前記基準線方向に整列し得る高さ位置に光透過部を形成することで、回転リフレクタの回転に伴って凹面反射部で反射された光が光透過部を介して基準線の他方側へ照射する状態と、該凹面反射部で反射された光が回転リフレクタで遮蔽される状態とに変化する。これにより、回転リフレクタの回転に伴って回転リフレクタの反射面が固定リフレクタ側を向くに従い光量を徐々に低下させることができると共に、当該回転リフレクタの反射面が固定リフレクタと反対側を向くに従い光量を徐々に増加させることができ、発光による演出効果が向上する。
【発明の効果】
【００１１】
本発明に係る遊技機によれば、発光体の光を集中させて、発光演出効果の向上を図り得る。
【図面の簡単な説明】
【００１２】
【図１】本発明の実施例に係るパチンコ機の正面図である。
【図２】実施例に係る遊技盤の正面図である。
【図３】実施例に係る遊技盤の背面図である。
【図４】実施例に係る遊技盤と設置部材とを分解した状態を示す斜視図であって、遊技盤を背面側から示すと共に設置部材を正面側から示す。
【図５】実施例に係る設置部材および可動演出体の分解図であって、設置部材を正面側から示し、可動演出体を背面側から示す。
【図６】実施例に係る可動演出体の正面図であって、(a)は揺動カバー体が被覆位置にある状態を示し、(b)は揺動カバー体が開放位置にある状態を示す。
【図７】実施例に係る可動演出体を揺動カバー体が被覆位置にある状態で縦断した側断面図である。
【図８】実施例に係る可動演出体を揺動カバー体が開放位置にある状態で縦断した側断面図である。
【図９】実施例に係る回転発光演出部を示す正面図であって、光透過カバーを省略して示す。
【図１０】実施例に係る回転発光演出部を示す分解斜視図であって、光透過カバーを省略して示す。
【図１１】実施例に係る固定リフレクタを示す斜視図である。
【図１２】図９のＡ−Ａ線断面図であって、回転リフレクタが正面を向いた姿勢を示す。
【図１３】(a)は図９のＢ−Ｂ線断面図であり、(b)はＣ−Ｃ線断面図である。
【図１４】(a)は図９のＡ−Ａ線断面図において回転リフレクタが斜め後方を向いた姿勢を示し、(b)は(a)の状態での回転リフレクタのスリット形成位置を拡大して示す正面図である。
【図１５】実施例に係る回転リフレクタと固定リフレクタとの光反射関係を示す説明図であって、(a)は回転リフレクタ側方を向いた状態を示し、(b)は回転リフレクタが斜め後方を向いた姿勢を示す。
【発明を実施するための形態】
【００１３】
次に、本発明に係る遊技機につき、好適な実施例を挙げて、添付図面を参照しながら以下詳細に説明する。なお、遊技機としては、一般的なパチンコ機１０を例にして説明する。また、以下の説明において、「前」、「後」、「左」、「右」とは、特に断りのない限り、図１に示すようにパチンコ機１０を前側(遊技者側)から見た状態で指称する。
【実施例】
【００１４】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、所定条件の成立(後述する始動入賞装置４０,４５の始動入賞口４１,４６へのパチンコ球の入賞)を契機として演出用の図柄を変動表示させて図柄変動演出を行う図柄表示装置１８が着脱可能に配設されている。また、前記中枠１２の前面側には、前記遊技盤２０を透視保護するガラス板や透明な合成樹脂材により形成された透視保護板(図示せず)で前後に開口する窓部１３ａを覆うよう構成された装飾枠としての前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。
【００１５】
また、前記中枠１２の右下方位置には、該中枠１２に配設された打球発射装置(図示せず)を作動する操作ハンドル１７が設けられている。前記操作ハンドル１７は、左回転方向に付勢された操作レバー１７ａを備えており、該操作レバー１７ａを右回転するよう遊技者が回動操作することで打球発射装置が作動されて、前記上球受け皿１４に貯留されたパチンコ球が前記遊技盤２０の遊技領域２０ａに向けて発射されるようになっている。ここで、前記操作レバー１７ａの回動量に応じて前記打球発射装置によるパチンコ球の打球力が強弱変化するよう構成されており、遊技者が操作レバー１７ａの回動量を操作することで、前記遊技領域２０ａへのパチンコ球の発射位置を任意に調整し得るようになっている。なお、実施例では、前記図柄表示装置１８としては、ドットマトリックス式の表示装置が採用されているがこれに限られるものではなく、ドラム式の図柄表示装置１８や液晶パネルを収容ケースに収容した液晶表示装置等の各種図柄を停止および変動表示可能な従来公知の各種の表示装置を採用し得る。また、前記上球受け皿１４は、前記前枠１３と別体に形成して中枠１２に対して開閉可能に組み付けるようにしてもよい。そして、実施例に係る図柄表示装置１８には、前記飾図を変動表示可能な図柄表示部(図示せず)が横並び状に３列設けられており、図柄変動演出の開始に伴い各列の飾図が予め定められた変動方向(例えば縦スクロール、横スクロール等)へ変動表示し、所定のタイミングで各列の飾図が全て停止表示されることで、１回の図柄変動演出が終了するようになっている。
【００１６】
(遊技盤２０について)
前記遊技盤２０は、図２〜図４に示すように、各種絵柄等が描かれた合成樹脂シート(図示せず)等を表面に貼付けて装飾した略矩形状の板部材であって、遊技盤２０の裏面側に配設された設置部材６０に、前記図柄表示装置１８が着脱可能に組み付けられている。前記遊技盤２０の前面(盤面)には、略円形状に湾曲形成した案内レール２１が配設されており、該案内レール２１により画成される略円形の遊技領域２０ａに、前記中枠１２に配設された図示しない打球発射装置から発射されたパチンコ球が打ち出されることで遊技が行われるようになっている。また、前記遊技盤２０には、ルーター加工等の孔空け加工により前後に貫通する複数の装着口２２が開設されており(図４参照)、各装着口２２に対して各種の遊技盤２０設置部品(例えば、後述する枠状装飾体３０、始動入賞装置４０、特別入賞装置５０、普通入賞装置２７等)が前側から取り付けられると共に、遊技領域２０ａの最下部位置には、該遊技領域２０ａに打ち出されたパチンコ球を排出するアウト口２３が設けられている。なお、前記装着口２２の形成数や形成位置は、遊技盤２０に取り付けられる各種遊技盤２０設置部品の個数や配設位置等により必要に応じて適宜変更される。
【００１７】
ここで、実施例の前記遊技盤２０には、図４に示すように、前記案内レール２１で囲まれた遊技領域２０ａの略中央で開口する装着口２２に、前後に開口する表示窓口３０ａが形成された枠状装飾体３０が取り付けられている。ここで、前記枠状装飾体３０が取り付けられる装着口２２は、前記案内レール２１で囲まれた遊技領域２０ａの大部分で開口する大型の開口とされ、該装着口２２に取り付けられた枠状装飾体３０の表示窓口３０ａを介して前記図柄表示装置１８および後述する第１の可動演出装置７０が遊技盤２０の前面側に臨むよう構成されている。なお、前記遊技盤２０には、前記遊技領域２０ａ内に多数の遊技釘２４が設けられると共に、枠状装飾体３０の左側方に、遊技領域２０ａを流下するパチンコ球の接触に伴って回転する所謂「風車」とも称される回転案内部材２５が回転自在に支持されており、遊技領域２０ａを流下するパチンコ球が遊技釘２４や回転案内部材２５に接触することで、流下方向が不規則に変化するよう構成されている。
【００１８】
また、前記遊技盤２０において前記枠状装飾体３０の下方には、図４に示すように、遊技領域２０ａの左右幅方向の略中央に装着口２２が開設されており、該装着口２２に、遊技領域２０ａを流下するパチンコ球が入賞可能な第１始動入賞口４１を有する第１始動入賞装置４０が取り付けられている。そして、前記遊技盤２０において枠状装飾体３０の右下方に開設された装着口２２に、遊技領域２０ａを流下するパチンコ球が入賞可能な特別入賞口を有する特別入賞装置５０が取り付けられている。このように、実施例のパチンコ機１０では、第１始動入賞装置４１および特別入賞装置５０は異なる装着口２２に取り付けられている。すなわち、遊技状態に応じて遊技者が操作ハンドル１７を操作してパチンコ球の打ち出し位置を変更することで、第１始動入賞装置４０または特別入賞装置５０にパチンコ球を入賞させ得るよう構成されている。また、前記遊技盤２０には、前記特別入賞装置５０の上方位置に、前記遊技盤２０を流下するパチンコ球が通過可能なゲート部材２８が設置される装着口２２が開設されており、該ゲート部材２８に設けられたゲートセンサ２８ａによるパチンコ球の検出に基づいて、前記枠状装飾体３０に設けられた後述する第２始動入賞装置４５の開閉部材４７が開閉するよう構成される。また、前記遊技盤２０には、遊技領域２０ａを流下するパチンコ球が入賞可能な普通入賞装置２７を取り付ける装着口２２が適宜位置に形成されている(実施例では３箇所)。
【００１９】
(枠状装飾体３０について)
前記枠状装飾体３０は、前記遊技盤２０に開設された装着口２２に沿って延在する環状に形成され、該装着口２２に内挿される枠状本体３１と、該枠状本体３１の前側端部に遊技盤２０の表面に当接するよう設けられた固定板３２と、当該枠状本体３１の前面側に設けられて遊技盤２０の前面より前方に突出する庇状部３３とを備えている(図２、図４参照)。そして、前記固定板３２を遊技盤２０の表面に当接させた状態で、固定板３２の前側からビス等の固定手段を用いて遊技盤２０に固定される。すなわち、前記遊技領域２０ａに発射されたパチンコ球は、前記枠状装飾体３０の庇状部３３に沿って左右側部へ案内されることで、該パチンコ球が表示窓口３０ａを横切って流下するのを規制している。すなわち、実施例のパチンコ機１０は、前記操作ハンドル１７の操作レバー１７ａの操作に応じて、操作ハンドル１７の操作レバー１７ａの回動操作量を可変することで、前記枠状装飾体３０の左側部をパチンコ球が流下する所謂「左打ち」と、該枠状装飾体３０の右側部をパチンコ球が流下する所謂「右打ち」とを打ち分け得るよう構成されており、右打ちされた際にパチンコ球が流下する経路中に前記特別入賞装置５０およびゲート部材２８が配設されている。なお、前記庇状部３３は、前記枠状本体３１の左側部から上部を経て右側部に至る形態で形成されている。
【００２０】
前記枠状装飾体３０には、図４に示すように、前記表示窓口３０ａの内側の左右側部および上部に、発光演出装置３４が取り付けられると共に、該枠状装飾体３０の下部(開口下縁部)に、パチンコ球が左右に転動可能なステージ３５が設けられている。なお、前記枠状装飾体３０におけるステージ３５の後端部には、前記表示窓口３０ａの内側へ延出する透明な規制壁３０ｂ(図２、図４参照)が設けられており、該ステージ３５上を転動するパチンコ球が後方(遊技盤２０の裏側)へ移動するのを防止している。また、前記枠状装飾体３０には、前記ステージ３５の右側方に、前記遊技領域２０ａを流下するパチンコ球が入賞可能な第２始動入賞口４６を有する第２始動入賞装置４５が配設されている。
【００２１】
(第１始動入賞装置４０について)
図２に示すように、前記第１始動入賞装置４０は、前記遊技領域２０ａを流下するパチンコ球が入賞可能な第１始動入賞口４１が設けられている。ここで、前記第１始動入賞口４１は、遊技領域２０ａ内で常に上方へ開口する常時開放タイプの入賞口とされており、遊技領域２０ａを流下するパチンコ球が一定の確率で入賞し得るようになっている。そして、前記第１始動入賞口４１に入賞したパチンコ球は、制御装置に配線接続された第１始動入賞球検出センサ４２(図４、図５参照)で検出されるよう構成されており、該センサ４２の検出を契機として所定数の賞球が払い出されると共に大当り抽選が行われて、該大当り抽選の結果に基づいて前記図柄表示装置１８における各図柄表示部の飾図を変動表示して図柄変動演出が実行されるようになっている。そして、前記図柄表示装置１８での図柄変動演出の結果、該図柄表示装置１８の各図柄表示部に所定の組み合わせ(例えば同一図柄の３つ揃い等)で飾図が停止表示されることで所謂大当りが発生し、大当りの発生に伴って前記特別入賞装置５０を所定の開放条件で開放して多数の賞球を獲得し得る機会が与えられるよう構成されている。ここで、実施例の第１始動入賞球検出センサ４２は、前記設置部材６０に設けられた第１始動入賞口４１に入賞したパチンコ球の排出通路６７(図４、図５参照)に設けられている。
【００２２】
(第２始動入賞装置４５について)
前記第２始動入賞装置４５は、図２に示すように、前記枠状装飾体３０の右下部位置に配設されて、該枠状装飾体３０の右側方に開口して遊技領域２０ａを流下するパチンコ球が入賞可能な第２始動入賞口４６を備えている。また、前記第２始動入賞装置４５は、前記第２始動入賞口４６の右側部に、駆動手段としてのソレノイド４８(図４参照)の駆動に伴って揺動する開閉部材４７を備えており、該ソレノイド４８の駆動に伴って開閉部材４７が第２始動入賞口４６を閉鎖する閉鎖位置と開放する開放位置に揺動変位するよう構成されている。すなわち、前記第１始動入賞口４１は、前記遊技領域２０ａを流下するパチンコ球が一定の確率で入賞し得るよう構成されると共に、第２始動入賞口４６は、開閉部材４７の開閉によりパチンコ球の入賞確率を可変し得るよう構成されている。なお、前記第２始動入賞装置４５のソレノイド４８は、パチンコ機１０の裏側に配設された制御装置(図示せず)に配線接続されており、前記ゲートセンサ２８ａによるパチンコ球の検出に基づいて所定の開閉条件に従って駆動制御されるようになっている。そして、前記第２始動入賞口４６に入賞したパチンコ球は、制御装置に配線接続された第２始動入賞球検出センサ４９(図４、図５参照)で検出されるよう構成されており、該センサ４９の検出を契機として所定数の賞球が払い出されると共に大当り抽選が行われて、該大当り抽選の結果に基づいて前記図柄表示装置１８における各図柄表示部の飾図を変動表示して図柄変動演出が実行されるようになっている。実施例の第２始動入賞球検出センサ４９は、前記設置部材６０に設けられた第２始動入賞口４６に入賞したパチンコ球の排出通路６７(図４、図５参照)に設けられている。
【００２３】
(特別入賞装置５０について)
前記特別入賞装置５０は、図２、図４に示すように、遊技領域２０ａに開口する特別入賞口(図示せず)を開閉自在に閉成する開閉扉５３(開閉部材４７)を備えており、駆動手段としての図示しない特別入賞ソレノイド５２(図４参照)の駆動に伴って開閉扉５３が揺動変位することで特別入賞口が開閉するようよう構成されている。なお図２では、前記開閉扉５３により特別入賞口が閉鎖された状態を示している。そして、前記特別入賞口に入賞したパチンコ球は、制御装置に配線接続された図示しない特別入賞球検出センサで検出されるよう構成されており、該特別入賞球検出センサから制御装置への入賞検出信号の入力に伴って所定数の賞球が払い出されるようになっている。なお、実施例のパチンコ機１０では、特別入賞球検出センサは前記特別入賞装置５０に設けられている。
【００２４】
(設置部材６０について)
次に、前記設置部材６０に関して説明する。前記設置部材６０は、図４，図５に示すように、前記遊技盤２０に対向する対向面部６１と、該対向面部６１の外周縁部から前方に突出する外周壁部６２とから前方に開口する箱状に形成されている。また、前記設置部材６０には、前記外周壁部６２の前端部に、外方へ延出する取付片６３が形成されると共に、該取付片６３に前後に貫通する貫通孔６３ａが形成されている。そして、前記取付片６３(すなわち外周壁部６２の開口前端部)を遊技盤２０の裏面に当接させた状態で、貫通孔６３ａに後方から挿通したネジ６４(図３参照)を遊技盤２０に螺挿することで、設置部材６０が遊技盤２０に固定されるようになっている。そして、前記設置部材６０における前記遊技盤２０との間に画成される設置空間６０ａに、各種演出装置や発光装置等の遊技部品が設置されて、設置部材６０を基材とする単一のユニットとして扱い得るようになっている。なお、前記取付片６３は、前記外周壁部６２の全周に設けてもよく、また外周壁部６２の適宜位置に形成するようにしてもよい。実施例では、前記設置部材６０の左右側面をなす外周壁部６２から外方へ延出するよう取付片６３が複数箇所形成されている。
【００２５】
ここで、前記設置部材６０は、前記遊技盤２０に形成された各装着口２２が前記設置空間６０ａの内側で開口する大きさに形成されると共に、該遊技盤２０に取り付けられた前記枠状装飾体３０の表示窓口３０ａに後方から臨む位置に、前記遊技部品としての第１の可動演出装置７０が配設されている(図４参照)。また、前記設置部材６０には、前記遊技盤２０に取り付けられた各入賞装置２７,４０,４５,５０と対応する位置に球排出通路６７が設けられており、各入賞装置２７,４０,４５,５０に入賞したパチンコ球を対応の排出通路６７を介して遊技盤２０の下方へ排出案内するよう構成されている。また、前記設置部材６０には、図４に示すように、前記枠状装飾体３０に設けられた前記規制壁３０ｂの後方に対向する位置に、前記図柄表示装置１８が設置部材６０の開口前端部に位置するよう配設されて、該図柄表示装置１８で行われる図柄変動演出を、該規制壁３０ｂを介して遊技盤２０の前側から視認し得るようになっている。
【００２６】
(第１の可動演出装置７０について)
前記第１の可動演出装置７０は、前記枠状装飾体３０の表示窓口３０ａに後方から臨むと共に、該表示窓口３０ａを略全体的に覆う可動演出体７１と、該可動演出体７１を動作させる駆動モータ(駆動手段)７２とから構成されている(図２〜図４、図５参照)。なお、以下の説明では、前記可動演出体７１を作動する駆動モータを第１駆動モータ７２と指称する。ここで、前記第１の可動演出装置７０の第１駆動モータ７２は、前記設置部材６０の対向面部６１の上部位置に、駆動軸(図５参照)を前記設置空間６０ａ内へ突出させた姿勢で取り付けられると共に、該駆動軸に対して径方向へ延在するよう作動アーム７３が取り付けられている。
【００２７】
また、前記可動演出体７１には、背面側の左右中央下部位置に、後方へ突出する揺動軸７１ａが設けられ、前記設置部材６０の対向面部６１に形成された軸孔６１ａに、該揺動軸７１ａが揺動自在に枢支されている。そして、前記可動演出体７１における背面側の左右中央上部位置に、上下にスライド移動自在な連結軸７１ｄが設けられており、前記第１駆動モータ７２の駆動軸７２ａに取り付けられた前記作動アーム７３が連結軸７１ｄに回転可能に連結されている。すなわち、前記第１駆動モータ７２の駆動に伴い前記作動アーム７３を回転することで、前記可動演出体７１が揺動軸７１ａを中心として揺動するようになっている。また、前記可動演出体７１が初期位置にある状態では、前記作動アーム７３が上下方向に延在して前記連結軸７１ｄと揺動軸７１ａとが鉛直線上で整列するようになっている。このとき、前記可動演出体７１の荷重が揺動軸７１ａに対して鉛直線方向から作用するよう構成されており、当該可動演出体７１の荷重による可動演出体７１の揺動を防止している。
【００２８】
また、前記可動演出体７１の背面側には、該可動演出体７１の左右側部位置に後方へ突出する支持軸７１ｂ,７１ｂが夫々設けられると共に、前記設置部材６０には、当該支持軸７１ｂ,７１ｂと対応する位置に、前記揺動軸７１ａを中心とする円弧状に延在するガイド孔６１ｂ,６１ｂが夫々形成されており、各支持軸７１ｂ,７１ｂがガイド孔６１ｂ,６１ｂに沿って摺動し得るよう挿通されている。ここで、前記可動演出体７１が初期位置にある状態では、前記各支持軸７１ｂ,７１ｂが対応のガイド孔６１ｂ,６１ｂの延在長の中間位置に位置するよう構成されており、前記第１駆動モータ７２の駆動に伴い各支持軸７１ｂ,７１ｂがガイド孔６１ｂ,６１ｂの端部に至る範囲で可動演出体７１が初期位置から左右に揺動し得るようになっている。なお、前記各支持軸７１ｂ,７１ｂの後端部には、前記ガイド孔６１ｂ,６１ｂからの脱落を防止する抜止め部材７１ｃ(図３参照)が取り付けられている。
【００２９】
また、図４、図５に示すように、前記設置部材６０には、前方へ開口する半球状の装飾部材６５が設置空間６０ａ内に取り付けられており、前記可動演出体７１の後方および側方を装飾部材６５で囲繞するよう構成されている。前記装飾部材６５の前端部には、径方向延出する鍔状部６５ａが設けられており、前記設置部材６０を遊技盤２０に固定した際に、前記枠状装飾体３０の枠状本体３１の後端部に鍔状部６５ａが当接するよう構成されている。すなわち、前記設置部材６０を遊技盤２０に固定した状態では、前記可動演出体７１を囲繞する前記装飾部材６５により設置空間６０ａ内部を遊技盤２０の前側から視認不能に塞ぐことで、遊技盤２０の装飾性を損なわないようになっている。なお、実施例の装飾部材６５は、左右の半体から構成されて、各半体を前記設置部材６０の対向面部６１に固定するようになっている。
【００３０】
(可動演出体７１について)
次に、前記第１の可動演出装置７０における可動演出体７１の構成について具体的に説明する。前記可動演出体７１は、図５〜図８に示すように、前記設置部材６０に支持される支持ベース７５と、該支持ベース７５の前側に配設され、支持ベース７５との間に収容空間８１ａ,８１ｂを画成する装飾カバー体８５と、当該収容空間８１ａ,８１ｂに配設された回転発光演出部(発光演出手段)１００とを備えている。そして、前記装飾カバー体８５は、前記支持ベース７５および回転発光部１０２の前側を覆って可動演出体７１の前面をなすよう構成されており、前記枠状装飾体３０の表示窓口３０ａを介して装飾カバー体８５が遊技盤２０の前面に露出するようになっている。また、前記支持ベース７５は、前記設置部材６０の対向面部に対向する上下の支持ベース７６,７７と、該上下の支持ベース７６,７７の間に設けられ、前記収容空間８１ａ,８１ｂを上下に区切る設置ベース８０とから構成されており、下側支持ベース７７に前記揺動軸が設けられると共に、上側支持ベース７６に前記支持軸が設けられている。なお、前記上下の支持ベース７６,７７および設置ベース８０の夫々は、平板状に形成されている。また、前記設置ベース８０は、前記可動演出体７１が初期位置にある状態で、略水平に延在するよう構成されており、以下の説明において「上」、「下」、「左」、「右」は、前記可動演出体７１が初期位置にある状態を基準として指称するものとする。なお、前記上側支持ベース７６は、前記設置ベース８０の後端縁から上方へ延在するよう取り付けられると共に、前記下側支持ベース７７は、設置ベース８０の後端縁より前側に偏倚した位置から下方へ延在するよう取り付けられている。
【００３１】
(下側支持ベース７７について)
前記下側支持ベース７７には、左右方向の略中央位置に、下側支持ベース７７の前方へ開口する収容室７８が画成されると共に、該収容室７８内に位置検出センサ７９が設置されており、前記回転発光演出部１００における後述する回転リフレクタ１１０の原位置を位置検出センサ７９で検出するよう構成されている(図５、図７参照)。また、前記下側支持ベース７７の裏面には、側部(図５では右側部)に偏倚した位置に、前記装飾カバー体８５の揺動カバー体８５ｃ(後述)を作動させる駆動モータ(駆動手段)８８が設置されている。なお、以下の説明では、揺動カバー体８５ｃを作動する駆動モータを第２駆動モータ８８と指称する。
【００３２】
前記第２駆動モータ８８は、駆動軸を収容室７８側に指向させた姿勢で配設されると共に、該駆動軸に径方向へ延出する第１揺動アーム９０が取り付けられている。そして、前記第１揺動アーム９０の延出端部側に、第２揺動アーム９１が揺動自在に連結されている。ここで、前記第２揺動アーム９１は、前記第１揺動アーム９０の連結軸が挿入される第１連結孔９２ａが形成された連結アーム９２と、該連結アーム９２の一方端部からＬ字状に屈曲した屈曲アーム９３とからなり、当該連結アーム９２の他方端部に形成された第２連結孔９２ｂ(図７参照)に前記収容室７８の側面に設けた軸部(図示せず)が挿通されると共に、該屈曲アーム９３の端部に前記揺動カバー体８５ｃが揺動自在に枢支されている(図７、図８参照)。これにより、前記第２駆動モータ８８の駆動に伴い前記第１揺動アーム９０が回転変位することで、第１揺動アーム９０の連結軸と収容室７８の軸部との相対的な位置変化に伴って前記第２揺動アーム９１が揺動し、揺動カバー体８５ｃが前記被覆位置および開放位置に移動するようになっている。なお、前記第１連結孔９２ａおよび第２連結孔９２ｂは、連結アーム９２の延在方向に沿って所定長さ延在する長孔であって、前記第１揺動アーム９０の連結軸と収容室７８の軸部との相対的な位置変化を許容し得るよう構成されている。
【００３３】
また、図１０に示すように、前記下側支持ベース７７の裏面には、ＬＥＤ８３ａが実装された第１のＬＥＤ基板８３が取り付けられると共に、各ＬＥＤ８３ａと対応する位置に貫通孔７７ａが形成されている。すなわち、前記貫通孔７７ａを介してＬＥＤ８３ａの光を前方(下部収容空間８１ｂ側)へ照射し得るようになっている。ここで、前記第１のＬＥＤ基板８３には、前記回転発光演出部１００の回転リフレクタ１１０を挟む左右側部に位置するよう複数のＬＥＤ８３ａ(実施例では回転リフレクタ１１０を挟む左右側部の夫々に２個)が実装されると共に、該回転発光演出部１００の固定リフレクタ１１５の外周縁に沿って位置するよう複数のＬＥＤ８３ａ(実施例では４個)が実装されている。
【００３４】
(装飾カバー体８５について)
前記装飾カバー体８５は、図７、図８に示すように、前記上側支持ベース７６および設置ベース８０の端縁部に整合すると共に前側に膨出する曲面形状に形成された固定カバー体８５ａを備えており、該上側支持ベース７６、設置ベース８０および固定カバー体８５ａで囲まれた収容空間８１ａ,８１ｂ(上部収容空間８１ａ)に、第２の可動演出装置８６が収容設置されている。すなわち、前記第１の可動演出装置７０に対して別の可動演出装置８６が設置されている。なお、前記固定カバー体８５ａには、前記上部収容空間８１ａを前方に開口する開口部８５ｂが開設されており、該開口部８５ｂを介して前記第２の可動演出装置８６を構成する可動体８６ａが枠状装飾体３０の表示窓口３０ａ内に露出するよう構成されている(図６参照)。
【００３５】
また、前記装飾カバー体８５は、図６〜図８に示すように、前記下側支持ベース７７の前側を被覆可能な曲面形状に形成された揺動カバー体８５ｃを備えている。前記揺動カバー体８５ｃは、前記固定カバー体８５ａの左右両下端部に側方へ突出するよう形成された軸部に枢支されており、後述する第２駆動モータ８８の駆動に伴って揺動カバー体８５ｃの装飾面が正面側を向いて前記下側支持ベース７７の前側を被覆する被覆位置と、当該揺動カバー体８５ｃの装飾面が下側を向いて下側支持ベース７７の前側を露出する開放位置とに変位し得るよう構成されている。すなわち、前記揺動カバー体８５ｃが被覆位置にある状態で、前記下側支持ベース７７、設置ベース８０および揺動カバー体８５ｃで囲まれた下部収容空間８１ｂが画成されるようになっている。ここで、前記下部収容空間８１ｂには、前記回転発光演出部１００の回転リフレクタ１１０、固定リフレクタ１１５および光透過カバー１２１(何れも後述)が設置されており、前記揺動カバー体８５ｃの開放位置への揺動に伴って該回転発光演出部１００が枠状装飾体３０の表示窓口３０ａに露出するよう構成されている(図６参照)。また、前記揺動カバー体８５ｃには、左右方向の略中央位置に光を透過可能な光透過部８５ｄが設けられており、前記被覆位置にある状態で前記第１のＬＥＤ基板８３のＬＥＤ８３ａと前後に重なるように位置している。すなわち、前記揺動カバー体８５ｃが被覆位置にある状態で第１のＬＥＤ基板８３のＬＥＤ８３ａを発光させることで、前記光透過カバー１２１および光透過部８５ｄを透過した光が遊技盤２０の前方へ照射されて、発光演出を行ない得るようになっている。
【００３６】
(回転発光演出部１００について)
次に、前記回転発光演出部１００について説明する。図７〜図１０に示すように、前記回転発光演出部１００は、制御装置の制御に基づき発光する発光部１０２と、制御装置の制御に基づき駆動される駆動モータ(駆動手段)１０７と、該駆動モータ１０７の駆動により発光部１０２の周囲を回転し、該発光部１０２の光を回転軸線Ｒと交差する方向へ反射する回転リフレクタ１１０と、回転リフレクタ１１０の後方側(回転軸線Ｒに直交する基準線Ｌの一方側)に、当該回転リフレクタ１１０の回転領域の外側に位置するよう配置された固定リフレクタ１１５とを備えている。ここで、実施例の回転発光演出部１００は、前記可動演出体７１の下側支持ベース７７または設置ベース８０に取り付けられており、該下側支持ベース７７および設置ベース８０が前記回転発光演出部１００の取付基材とされている。なお、以下の説明では、前記回転リフレクタ１１０を作動する駆動モータを第３駆動モータ１０７と指称する。すなわち、前記回転リフレクタ１１０は、前記発光部１０２の光を回転リフレクタ１１０の径方向外方へ反射すると共に、前記第３駆動モータ１０７の駆動に伴い発光部１０２の周囲を回転することで、反射光の照射方向が回転移動させるように構成される。
【００３７】
また、前記回転発光演出部１００は、前記回転リフレクタ１１０および固定リフレクタ１１５の前方(回転軸線Ｒに直交する基準線Ｌの他方側)に光透過カバー１２１が設けられている。この光透過カバー１２１は、光透過性の合成樹脂により後方および上方に開口する球面形状に形成されており、前記設置ベース８０で上方開口を塞ぐと共に、前記下側支持ベース７７で後方開口を塞ぐよう設置ベース８０の下面に取り付けられている。すなわち、前記回転リフレクタ１１０および固定リフレクタ１１５の夫々が前記光透過カバー１２１の内部に収容され、回転リフレクタ１１０で反射された光や、固定リフレクタ１１５で反射された光が光透過カバー１２１に照射されるようになっている。ここで、実施例の回転リフレクタ１１０は、回転軸線Ｒが上下方向に延在する姿勢で設置されており、回転リフレクタ１１０の回転軸線Ｒを通って前後方向に伸びる仮想的な線を回転軸線Ｒに直交する基準線Ｌとしている(図１３参照)。すなわち、前記回転リフレクタ１１０の回転軸線Ｒに対して直交し、かつ回転発光演出部１００における光照射対象物の設置側(すなわち光透過カバー１２１側)に延在する線が基準線Ｌとされている。また、前記基準線Ｌの一方側および他方側は、前記回転軸線Ｒ(発光部１０２)を基準にした方向であって、実施例では、基準線Ｌの一方側が回転軸線Ｒの後方側を指し、基準線Ｌの他方側が回転軸線Ｒの前方側を指している。
【００３８】
前記第３駆動モータ１０７は、図１０に示すように、前記設置ベース８０の左右方向の略中央位置から前記上側支持ベース７６よりも後方側へ延出するよう形成されたモータ設置部８０ａに設置されている。また、前記設置ベース８０には、前記下側支持ベース７７よりも前側で上下に貫通する設置開口部８０ｂが開設されており、該設置開口部８０ｂの開設位置に対応する位置に、前記第３駆動モータ１０７に連繋接続した作動歯車９５が設置されている。前記作動歯車９５は、前記設置開口部８０ｂよりも大径の歯車に形成されており、第３駆動モータ１０７の駆動に伴って設置ベース８０の上面に摺接した状態で回転するよう構成されている。そして、前記作動歯車９５における設置開口部８０ｂに臨む下面側に、前記回転リフレクタ１１０が取り付けられており、該作動歯車９５と回転リフレクタ１１０が一体的に回転するようになっている。なお、前記第３駆動モータ１０７および作動歯車９５は、複数の歯車９６,９６を介して連繋接続されている。また、前記作動歯車９５には、該作動歯車９５の回転中心位置(すなわち回転リフレクタ１１０の回転軸線Ｒ上)に、上下に貫通する取付孔９５ａが形成されており、前記発光部１０２のレンズ部材１０４(後述)が上下に貫通するよう取付孔９５ａに嵌挿されている。
【００３９】
(発光部１０２について)
前記発光部１０２は、図１０、図１３に示すように、ＬＥＤ基板１０３(以下、第２のＬＥＤ基板という)に実装されたＬＥＤ(発光体)１０３ａと、該ＬＥＤ１０３ａの光照射方向前側に配置されたレンズ部材１０４とから構成れている。ここで、前記第２のＬＥＤ基板１０３は、下方へ向けて光を照射する姿勢で前記ＬＥＤ１０３ａが前記作動歯車９５の取付孔９５ａに臨むよう前記設置ベース８０の上面側に配設されており、該第２のＬＥＤ基板１０３のＬＥＤ１０３ａを発光した際に、取付孔９５ａを介して下側収容空間８１ｂに光が照射されるようになっている。なお、実施例では、前記設置ベース８０の上面側に配設された第２の可動演出装置８６用のソレノイド８６ａの取付ベース８６ｂ(図１３参照)に対して前記第２のＬＥＤ基板１０３を取り付けてある。
【００４０】
前記レンズ部材１０４は、図１３に示すように、略円柱状に形成された光透過性の部材であって、該レンズ部材１０４の軸線上に前記第２のＬＥＤ基板１０３のＬＥＤ１０３ａが位置するよう配置されており、該ＬＥＤ１０３ａを発光した際にレンズ部材１０４を透過した光が下側収容空間８１ｂに照射されるよう構成されている。また、前記レンズ部材１０４は、軸線方向の中間位置に、外周面から径方向外方へ延出するフランジ部１０４ａが形成されており、該レンズ部材１０４における円柱状の本体を前記作動歯車９５の取付孔９５ａに上方から嵌合させた際に、フランジ部１０４ａが作動歯車９５の開口縁部に当接することで、前記第２のＬＥＤ基板１０３のＬＥＤ１０３ａの直下に取り付けられるようになっている。なお、前記レンズ部の軸線は、前記回転リフレクタ１１０の回転軸線Ｒと略一致するようになっている。
【００４１】
前記レンズ部材１０４は、図１３に示すように、前記ＬＥＤ１０３ａに対向する上端面が凹面状に窪むよう形成されており、指向性の高いＬＥＤ１０３ａからの光を拡散して光の照射範囲を拡大するよう構成されている。また、前記レンズ部材１０４の下端部は、前記設置ベース８０の下面側(下部収容空間８１ｂ)側に突出するよう構成されると共に、該レンズ部材１０４の下端面には、凹面状に窪む凹面反射部１０５が形成されている。これにより、前記レンズ部材１０４に照射された光をレンズ部材１０４の下方へ透過させつつ、当該レンズ部材１０４を透過する光の一部を、凹面反射部１０５でレンズ部材１０４の径方向へ反射させるようになっている。ここで、前記レンズ部材１０４の凹面反射部１０５は、前記下部収容空間８１ｂ内に位置して前記光透過カバー１２１の後方に位置するよう形成されており、該凹面反射部１０５でレンズ部材１０４の径方向へ反射させた光を光透過カバー１２１に照射し得るよう構成される(図１３参照)。
【００４２】
(回転リフレクタ１１０について)
前記回転リフレクタ１１０は、図９、図１０、図１３に示すように、前記取付孔９５ａ(レンズ部材１０４)よりも外側に位置するよう前記作動歯車９５の外周縁側に取り付けられると共に、該作動歯車９５に対する取付端部から下方へ離間するにつれて作動歯車９５の中心側(回転軸線Ｒ側)に変位する湾曲形状に形成されている。また、前記回転リフレクタ１１０には、回転軸線Ｒ側に向く反射面(以下回転反射面１１１という)が凹面状に形成されて、前記発光部１０２のレンズ部材１０４に回転反射面１１１が対向するようになっている。すなわち、前記発光部１０２からの光が回転反射面１１１に照射されることで、回転軸線Ｒに交差する回転リフレクタ１１０の径方向へ反射するようになっている。なお、前記回転リフレクタ１１０(回転反射面１１１)の下端部は、前記回転軸線Ｒ上に臨むよう構成されて、前記発光部１０２のレンズ部材１０４を直下方へ透過した光を回転反射面１１１で反射し得るよう形成されている。なお、前記回転反射面１１１は、金属メッキ加工等の光反射加工が施されており、光の反射率を高めてある。
【００４３】
ここで、前記作動歯車９５には、前記設置開口部８０ｂを介して前記下側収容空間８１ｂ内に臨むと共に、径方向外方へ延出する位置検出片９５ｂが形成されており、作動歯車９５の回転に伴って前記収容室７８に配設された位置検出センサ７９により検出され得るようになっている。すなわち、前記位置検出片９５ｂを位置検出センサ７９で検出することで、前記回転リフレクタ１１０の原位置が検出される。なお、実施例では、回転リフレクタ１１０における回転反射面１１１がパチンコ機１０の正面を向いた状態で、前記位置検出片９５ｂが回転リフレクタ１１０の後方に位置して、前記位置検出センサ７９で検出されるようになっている。
【００４４】
また、前記回転リフレクタ１１０には、前記作動歯車９５に固定される端部側(回転軸線Ｒにおける発光部１０２の配置端部側)に、該回転リフレクタ１１０の周方向に延在するスリット(光透過部)１１２,１１２が形成されている。前記スリット１１２,１１２は、前記回転リフレクタ１１０における周方向の両端部に、対応する端部外方および径方向(原位置での前後方向)に開口するよう形成されている。また、前記スリット１１２,１１２は、前記レンズ部材１０４に形成された前記凹面反射部１０５と前後方向に整列し得る高さ位置に形成されており、前記回転リフレクタ１１０の回転に伴って、凹面反射部１０５がスリット１１２,１１２を介して前面側に露出するようになっている。すなわち、前記回転リフレクタ１１０における前記凹面反射部１０５と前後方向に整列し得る高さ位置には、該凹面反射部１０５を前面側に露出させ得る一対のスリット１１２,１１２と、両スリット１１２,１１２の間に形成されて凹面反射部１０５を遮蔽する基部１１３(図１４(b)参照)とを備えており、回転リフレクタ１１０の回転に伴って、レンズ部材１０４の凹面反射部１０５で前側へ向けて反射された光がスリット１１２,１１２を介して前面側に照射されたり、回転リフレクタ１１０で遮蔽されたりするようになっている。
【００４５】
ここで、前記スリット１１２,１１２は、前記回転リフレクタ１１０の回転反射面１１１が前記原位置から９０°以上回転して、該反射面が斜め後方を向いた際に、該スリット１１２,１１２を介して凹面反射部１０５が前面側に臨むよう構成されている。例えば実施例では、前記回転リフレクタ１１０の前記原位置からの回転角度θが、９０〜１２０°および２４０〜２７０°の範囲の場合に、スリット１１２,１１２を介して凹面反射部１０５が前面側に全体的に露出し、１５０〜２１０°の範囲の場合に、回転リフレクタ１１０の基材部分により凹面反射部１０５が完全に遮蔽されるようになっている。また、前記回転リフレクタ１１０の前記原位置からの回転角度が１２０〜１５０°の範囲では、前記回転リフレクタ１１０の基材部分により凹面反射部１０５が徐々に遮蔽されてスリット１１２,１１２を介して前面側に露出する割合が減少するようになり、反対に原位置からの回転角度が２１０〜２４０°の範囲ではスリット１１２,１１２を介して凹面反射部１０５が徐々に露出するようになっている。
【００４６】
(固定リフレクタ１１５について)
前記固定リフレクタ１１５は、図９〜図１２、図１５に示すように、前記回転リフレクタ１１０の後方において最も後方に退避し、左右側方(回転リフレクタ１１０の周方向)に向かうにつれて前方へ傾斜した凹状に形成されて、該回転リフレクタ１１０に対向する面側に平面状の反射面１１７,１１９(以下固定反射面という)が複数設けられている。具体的には、前記固定リフレクタ１１５における回転リフレクタ１１０との対向面は、前記回転リフレクタ１１０の回転軸線Ｒと平行で前記基準線Ｌに直交する基準面Ｍに対して、傾斜角度が異なる固定反射面１１７,１１９により形成されている。ここで、前記基準線Ｌは、前述のように前後に延在する直線としたことから、実施例では前記遊技盤２０の盤面に平行な面が基準面Ｍとされる。実施例では、前記下側支持ベース７７の前面を基準面Ｍとする。なお、前記固定リフレクタ１１５は、左右対称な形状に形成されているので、該固定リフレクタ１１５の左側部分を基準にして固定リフレクタ１１５の具体的形状を説明する。
【００４７】
図１１、図１２に示すように、前記固定リフレクタ１１５は、前記回転軸線Ｒ方向に連続するよう屈曲形成され、前記回転リフレクタ１１０からの光を前方へ向けて反射する複数の第１の固定反射面１１７からなる第１反射列１１６と、回転軸線Ｒ方向に連続するよう屈曲形成され、回転リフレクタ１１０からの光を当該回転リフレクタ１１０から離間する側方へ向けて反射する複数の第２の固定反射面１１９からなる第２反射列１１８とが設けられており、該第１反射列１１６と第２反射列１１８とが回転リフレクタ１１０の周方向に交互に設けられている。すなわち、前記第１反射列１１６は、上下に複数段の第１の固定反射面１１７が連続する形状に形成され、同様に前記第２反射列１１８は、上下に複数段の第２の固定反射面１１９が連続する形状に形成されている。なお、ここで、回転リフレクタ１１０からの光を前方へ向けて反射するとは、照射された光の全てを前方へ向けて反射するものではなく、回転リフレクタ１１０から離間する側方よりも前方へ向けて光が反射され易い状態である。また同様に、回転リフレクタ１１０からの光を当該回転リフレクタ１１０から離間する側方へ反射するとは、照射された光の全てを回転リフレクタ１１０から離間する側方へ反射するものではなく、前方よりも回転リフレクタ１１０から離間する側方へ向けて光が反射され易い状態である。そして、前記固定リフレクタ１１５における最も後方に退避した位置(基準線Ｌに最も近い位置)に、第１反射列１１６が位置するよう構成されている。
【００４８】
また、前記第１の固定反射面１１７および第２の固定反射面１１９の夫々は、上下の幅寸法が略同じ寸法に設定されており、第１の固定反射および第２の固定反射面１１９が横方向に整列した状態で形成されている。以下の説明では、前記設置ベース８０に近い第１および第２の固定反射面１１９の横並び列を１段目とし、回転軸線Ｒ方向に並ぶ下方側に隣接する反射面を順に２段目、３段目・・・という場合がある。また、各第１および第２反射列１１８において、前記設置ベース８０に近接する側の第１および第２の固定反射面１１９を上段側と指称し、設置ベース８０から離間する方向に隣接する第１の固定反射面１１７を下段側と指称する。
【００４９】
(第１の固定反射面１１７について)
ここで、同じ段に位置する第１の固定反射面１１７は、前記基準線Ｌから離間するにつれて前側に変位するよう配置されると共に、前記基準面Ｍに対する傾斜角度が大きくなるよう設定されて、固定リフレクタ１１５の横断面において同一段の第１の固定反射面１１７が前記回転軸線Ｒ方向を向く姿勢で円弧状に配置されている(図１２、図１５参照)。言い換えると、前記基準線Ｌに近い第１反射列１１６における第１の固定反射面１１７の基準面Ｍに対する傾斜角度よりも、該基準線Ｌから離間する側に隣接する第１反射列１１６における第１の固定反射面１１７の基準面Ｍに対する傾斜角度の方が大きくなるよう設定されている。
【００５０】
また、前記第１反射列１１６において前記回転リフレクタ１１０の回転軸線Ｒ方向に隣接する第１の固定反射面１１７は、当該回転軸線Ｒにおける前記発光部１０２の配置側端部に位置する反射面(最上段に位置する第１の固定反射面１１７)から離間するにつれて、当該回転軸線Ｒに対する傾斜角度が大きくなるよう形成されている(図１３参照)。具体的には、第１の反射列において１段目に位置する第１の固定反射面１１７は、前記設置ベース８０に対して略直交する(回転軸線Ｒに対して略平行)になるよう形成されて、当該回転軸線Ｒに対する傾斜角度が極めて小さくなるよう形成されている。そして、第１の反射列において２段目に位置する第１の固定反射面１１７は、１段目に位置する第１の固定反射面１１７との連設端部から離間するにつれて前方へ変位するよう傾斜して、回転軸線Ｒに対する傾斜角度が大きくなるよう形成されている。言い換えると、第１反射列１１６において上段側に位置する第１の固定反射面１１７の回転軸線Ｒに対する傾斜角度よりも、下段側に位置する第１の固定反射面１１７の回転軸線Ｒに対する傾斜角度の方が大きくなるよう設定され、第１反射列１１６の第１の固定反射面１１７で反射された光が光透過カバー１２１の所定範囲に集中するようになっている。
【００５１】
(第２の固定反射面１１９について)
また、同じ段に位置する第２の固定反射面１１９は、前記基準線Ｌから離間するにつれて前側に変位するよう配置されると共に、前記基準面Ｍに対する傾斜角度が大きくなるよう設定されて、固定リフレクタ１１５の横断面において同一段の第２の固定反射面１１９が円弧状に配置されている(図１２参照)。また、図１５に示すように、前記各第２の固定反射面１１９は、その延長線が概ね前記発光部１０２側を向くよう形成されると共に、該延長線よりも前方に発光部１０２が位置するよう配置されている。そして、前記基準面Ｍに対する第２の固定反射面１１９の傾斜角度は、隣接する前記第１の固定反射面１１７が基準面Ｍに対して傾斜する傾斜角度よりも小さくなるよう設定されて、前記発光部１０２から回転リフレクタ１１０で反射された光を、外側に位置する第１の固定反射面１１７側に反射して、回転リフレクタ１１０から離れて位置する第１の固定反射面１１７に照射される光量の低下を防止している。
【００５２】
また、前記第２反射列１１８において前記回転リフレクタ１１０の回転軸線Ｒ方向に隣接する第２の固定反射面１１９は、当該回転軸線Ｒにおける前記発光部１０２の配置端部側に位置する反射面(最上段に位置する第２の固定反射面１１９)から離間するにつれて、当該回転軸線Ｒに対する傾斜角度が大きくなるよう形成されている(図１３(b)参照)。具体的には、第２の反射列において１段目に位置する第２の固定反射面１１９は、前記設置ベース８０に対して略直交する(回転軸線Ｒに対して略平行)になるよう形成されて、当該回転軸線Ｒに対する傾斜角度を極めて小さく形成されている。そして、第２の反射列において２段目に位置する第２の固定反射面１１９は、１段目に位置する第２の固定反射面１１９との連設端部から離間するにつれて前方へ傾斜するよう形成されて、回転軸線Ｒに対する傾斜角度が大きくなるよう形成されている。言い換えると、第２反射列１１８において上段側に位置する第２の固定反射面１１９の回転軸線Ｒに対する傾斜角度よりも、下段側に位置する第２の固定反射面１１９の回転軸線Ｒに対する傾斜角度の方が大きくなるよう設定され、前記回転リフレクタ１１０で反射された光を外側方に隣接する第１の固定反射面１１７側に反射するようになっている(図１５参照)。
【００５３】
(固定リフレクタ１１５の孔部１２０について)
また、前記固定リフレクタ１１５には、図１１、図１２に示すように、前記回転リフレクタ１１０と前記基準線Ｌ方向(前後方向)で重なる回転リフレクタ１１０の後方位置に、当該回転リフレクタ１１０の反射光を反射不能な非光反射部１２０が形成されている。実施例では、前記固定リフレクタ１１５における回転リフレクタ１１０の後方位置に、前後に開口する孔部１２０が開設されている。すなわち、前記回転リフレクタ１１０の回転に伴って回転反射面１１１が固定リフレクタ１１５の孔部１２０側を向くのに従って、前記固定リフレクタ１１５で反射される光が低下し、該回転反射面１１１の反射光の全てが孔部１２０に向けて反射される姿勢を向くことで、回転発光演出部１００が消灯するようになっている。ここで、図１４に示すように、前記発光部１０２の光が回転リフレクタ１１０により固定リフレクタ１１５の孔部１２０側へ向けて反射される姿勢で、該回転リフレクタ１１０のスリット１１２,１１２を介して発光部１０２が前方へ臨むようになっており、固定リフレクタ１１５からの反射光が低下した状態で発光部１０２からの直接的な光を際立たせ得るよう構成されている。
【００５４】
(実施例の作用)
次に、前述のように構成された実施例に係るパチンコ機１０の作用につき説明する。
【００５５】
前記中枠１２の前面側に設けられた前記操作ハンドル１７を遊技者が回転操作すると、打球発射装置から発射されたパチンコ球が前記遊技盤２０に設けた案内レール２１により画成された遊技領域２０ａ内に打ち出されて、遊技釘２４等に接触して流下方向を変更しながら遊技領域２０ａ内を流下する。そして、前記遊技領域２０ａを流下するパチンコ球が前記第１始動入賞装置４０または第２始動入賞装置４５の始動入賞口に入賞することで、前記図柄表示装置１８での図柄変動演出が開始され、図柄変動演出の結果、図柄表示装置１８に所定の図柄組み合わせで飾図が表示されると大当りが発生し、大当りが発生する図柄の組み合わせに応じて、前記遊技盤２０に設けられた特別入賞装置５０が開放されると共に、図柄表示装置１８において大当り演出が行われる。
【００５６】
そして、前記第１始動入賞装置４０または第２始動入賞装置４５の始動入賞口に入賞した際に、前記制御装置が所定の制御条件に基づいて前記第１の可動演出装置７０の第１駆動モータ７２を作動すると、該第１の可動演出装置７０の可動演出体７１が揺動軸７１ａを中心に左右に揺動する。このとき、前記第１のＬＥＤ基板８３のＬＥＤ８３ａを発光させるよう前記制御装置による前記第１のＬＥＤ基板８３のＬＥＤ８３ａの発光制御に基づいて当該ＬＥＤが発光すると、該第１のＬＥＤ基板８３のＬＥＤ８３ａからの光が光透過カバー１２１を透過して揺動カバー体８５ｃの光透過部８５ｄを透過した光が遊技盤２０前方へ照射されて、発光演出が行われる。
【００５７】
また、前記制御装置が所定の制御条件に基づいて前記回転発光演出部１００を作動させる場合には、前記第２駆動モータ８８の駆動に伴い前記第１揺動アーム９０および第２揺動アーム９１を介して前記揺動カバー体８５ｃを被覆位置から開放位置に揺動変位させ、前記回転発光演出部１００(光透過カバー１２１)を遊技盤２０の前方へ露出させる。そして、前記揺動カバー体８５ｃが開放位置に変位すると、前記第２のＬＥＤ基板１０３のＬＥＤが発光されると共に、前記第３駆動モータ１０７が駆動されて、回転発光演出部１００の発光部１０２に回転反射面１１１を向けた姿勢で回転リフレクタ１１０が発光部１０２の周囲を回転する。従って、前記発光部１０２からの光は、前記回転リフレクタ１１０の回転反射面１１１で径方向へ反射され、該回転リフレクタ１１０の回転向きに応じて当該回転リフレクタ１１０の光が光透過カバー１２１に照射される。
【００５８】
ここで、前記固定リフレクタ１１５は、回転リフレクタ１１０の周方向に平板状に形成された第１の固定反射面１１７が複数設けられている。この第１の固定反射面１１７は、前記基準線Ｌから離間するにつれて基準面Ｍに対する傾斜角度が大きくなるよう設定されており、回転リフレクタ１１０で反射されて各第１の固定反射面１１７に照射された反射光は、各第１の固定反射面１１７毎に光透過カバー１２１の略同じ位置を照射するよう前側へ向けて反射させることができる。これにより、固定リフレクタ１１５の第１の固定反射面１１７で反射された反射光が広範囲に拡散されるのを抑制できる。従って、回転リフレクタ１１０の回転に伴う光の照射位置の変化を明瞭にすることができる。
【００５９】
また、前記固定リフレクタ１１５において、前記回転リフレクタ１１０の回転軸線Ｒ方向に連続して設けられた第１の固定反射面１１７は、当該回転軸線Ｒにおける発光部１０２の配置端部側に位置する反射面から離間するにつれて、当該回転軸線Ｒに対する傾斜角度が大きくなるよう設定されている。これにより、各第１反射列１１６の第１の固定反射面１１７で反射された反射光が光透過カバー１２１の一定箇所に集中して照射されやすくなり、回転リフレクタ１１０の回転に伴う光の照射位置の変化を明瞭にすることができる。
【００６０】
更に、前記固定リフレクタ１１５には、前記第１反射列１１６と第２反射列１１８とが回転リフレクタ１１０の周方向に交互に位置するよう設けられると共に、該第２反射列１１８を構成する第２の固定反射面１１９が基準面Ｍに対して傾斜する傾斜角度を、同じ段位置で隣接する第１の固定反射面１１７が基準面Ｍに対して傾斜する傾斜角度よりも小さくなるよう設定し、該第１の固定反射面１１７に較べて第２の固定反射面１１９をより基準面Ｍと平行な関係に近くなるよう構成してある。従って、前記回転リフレクタ１１０の回転反射面１１１から第２の固定反射面１１９に照射された光は、該第２の固定反射面１１９に対して外側に隣接位置する第１の反射面側へ向けて反射されるから、回転リフレクタ１１０から離れて位置する第１の固定反射面１１７に照射される光量が低下するのを防止できる。すなわち、前記各第１の固定反射面１１７により前方へ光を反射させるようにしても、回転リフレクタ１１０から離れた位置の第１の固定反射面１１７に対して充分な光を照射することが可能となり、回転リフレクタ１１０の回転に伴う光の照射位置の変化を明瞭にすることができる。
【００６１】
ところで、回転発光演出部１００では、前記発光部１０２を発光させた状態で回転リフレクタ１１０の回転反射面１１１が正面側を向く原位置の姿勢では、該回転反射面１１１の反射光が光透過カバー１２１に直接照射されて、光透過カバー１２１の照射位置が最も強く明輝される。この状態から回転リフレクタ１１０が回転することで、光透過カバー１２１において回転反射面１１１の反射光が照射される光照射位置が側方へ移動する。されに、前記回転リフレクタ１１０の回転反射面１１１が後側(固定リフレクタ１１５側)を向くにつれて固定リフレクタ１１５における第１の固定反射面１１７および第２の固定反射面１１９で反射された光の照射位置が左右の中心側へ移動する。このとき、回転リフレクタ１１０の回転に伴って該回転リフレクタ１１０からの反射光が固定リフレクタ１１５に開設された孔部１２０に次第に照射されるようになると、固定リフレクタ１１５から光透過カバー１２１へ反射される反射光が徐々に低下し、回転リフレクタ１１０の回転反射面１１１が後方を向いて該回転リフレクタ１１０からの反射光が固定リフレクタ１１５の孔部１２０に完全に照射される状態になると、光透過カバー１２１が消灯する。更に回転リフレクタ１１０が回転すると、該回転リフレクタ１１０から固定リフレクタ１１５の第１の固定反射面１１７および第２の固定反射面１１９に照射される反射光が次第に増大することで、固定リフレクタ１１５から光透過カバー１２１へ反射される反射光が徐々に増大する。このように、前記固定リフレクタ１１５に孔部１２０を形成することで、回転リフレクタ１１０の回転に伴って光透過カバー１２１に照射される光の強弱変化をでき、自然な回転発光演出を実現でき、発光による演出効果を高め得る。
【００６２】
また前記回転リフレクタ１１０には、回転軸線Ｒにおける発光部１０２の配置側端部にスリット１１２,１１２を形成し、回転リフレクタ１１０の回転に伴って発光部１０２がスリット１１２,１１２を介して露出する状態と、該発光部１０２が回転リフレクタ１１０で遮蔽される状態とに変化するよう構成されている。すなわち、固定リフレクタ１１５に孔部１２０を設けて、発光部１０２の光が回転リフレクタ１１０により孔部１２０へ向けて反射される姿勢において発光部１０２がスリット１１２,１１２を介して臨むようにすることで、固定リフレクタ１１５からの反射光が低下した状態で発光部１０２からの直接的な光を光透過カバー１２１に照射することができる。すなわち、発光の中心となる発光部１０２を際立たせることができ、発光による演出効果が向上する。また、前記発光部１０２は、前記回転リフレクタ１１０の回転に伴って当該回転リフレクタ１１０により徐々に遮蔽され、また一旦遮蔽された後は同様に回転に伴って前記スリット１１２,１１２から徐々に露出する。これにより、前記発光部１０２の自然な点灯・消灯を実現でき、発光による演出効果を高め得る。
【００６３】
(変更例)
なお、本発明に係る遊技機の構成としては、前述した実施例に示したものに限らず、種々の変更が可能である。以下にその一例を示す。
【００６４】
(１)  実施例では、発光部をＬＥＤとレンズ部材とから構成したが、これに限られるものではなく、ＬＥＤやランプ等の発光体のみから発光部を構成してもよく、回転リフレクタに対して光を照射し得るものであれば従来公知の発光手段を発光部として採用し得る。
(２)  発光部を構成するレンズ部材の形状は、実施例に示したものに限られるものではない。例えば、レンズ部材における回転リフレクタに対向する端部を凸レンズ状に形成するようにしてもよく、また回転リフレクタに対向する端部に複数の凸レンズ部または凹レンズ部を形成することができる。また、レンズ部材における発光体に対向する端部側の形態も同様に、凸レンズ状に形成するようにしてもよく、また回転リフレクタに対向する端部に複数の凸レンズ部または凹レンズ部を形成することが可能である。
(３)  回転リフレクタの形状・構成は、実施例に示したものに限定されるものではなく、発光部から光を回転軸線と交差する方向へ反射可能な形状・構成であれば、任意に変更することが可能である。
(４)  実施例では、固定リフレクタに第１の固定反射面(反射面)と第２の固定反射面(第２の反射面)を形成するようにしたが、これに限られるものではなく、回転リフレクタから離間する側方よりも前方へ向けて光を反射し易い形状に形成された第１の固定反射面のみを形成するようにしてもよい。
(５)  実施例の固定リフレクタに形成される第１および第２の固定反射面は、平面部分が矩形状を呈する形状に形成れているが、これに限定されるものではなく、平面部分を円形状に形成したり、三角形や五角形等の多角形状に形成することもできる。また、実施例では、第１の固定反射面の左右幅寸法を、第２の固定反射面の左右幅寸法より大きく形成したが、同等程度にするようにしてもよい。
(６)  実施例では、回転リフレクタの周方向端部にスリットを形成するようにしたが、これに限らず、光を透過し得る光透過部を設けるようにすれば、実施例のスリットと同様の作用効果を期待し得る。例えば、回転リフレクタを光透過性の合成樹脂材等で形成して、実施例におけるスリットの形成位置以外に、光反射加工を施して回転反射面を形成するようにしてもよく、また実施例のスリットの形成位置に光透過性の部材を嵌合するようにしてもよい。
(７)  実施例では、固定リフレクタに非光反射部として孔部を形成するようにしたが、これに限られるものではない。例えば、固定リフレクタに対して光を吸収する光吸収部材を取り付けたり、光の反射率の低い色で着色するようにして非光反射部を形成するようにすることができる。
(８)  実施例では、可動演出装置に発光演出手段(回転発光演出部)を設けるようにしたが、これに限られるものではなく、該発光演出手段を固定的に配設するようにしてもよい。
(９)  実施例の発光演出手段では、回転リフレクタおよび固定リフレクタの反射光を遊技盤の前方へ照射するようにしたが、これに限られるものではなく、上方、下方あるいは左右側方へ向けて回転リフレクタおよび固定リフレクタの反射光が照射されるよう構成することもできる。例えば、枠状装飾体の表示窓口の開口内側に位置するよう発光演出手段を設置すると共に、該表示窓口の開口内面を形成するよう光透過カバーを配設して、該表示窓口の開口内側に向けて回転リフレクタおよび固定リフレクタの反射光が照射されるようすることが可能である。
(１０)  実施例では、遊技盤を合板で形成したが、これに限られるものではなく、遊技盤を合成樹脂材から透明または不透明に形成するようにしてもよい。
(１１)  実施例では、遊技機としてパチンコ機を例示して説明したが、これに限られるものではなく、アレンジボール機やピンボール機、スロットマシン機等の各種遊技機を採用し得る。
【００６５】
また、実施例からは以下の技術的思想を把握可能である。
請求項４記載の発明に関し、前記固定リフレクタ(115)には、前記回転リフレクタ(110)と前記基準線(L)方向で重なる位置に非光反射部(120)が設けられ、前記発光部(102)の光が回転リフレクタ(110)により非光反射部側へ向けて反射される姿勢で、前記スリット(112)を介して発光部(102)が前方へ臨むよう構成されたことを要旨とする。
このように、固定リフレクタに非光反射部を設けて、発光部の光が回転リフレクタにより非光反射部側へ向けて反射される姿勢で、スリットを介して発光部が臨むようにすることで、固定リフレクタからの反射光が低下した状態で発光部からの直接的な光を際立たせることができ、発光による演出効果が向上する。
【符号の説明】
【００６６】
１００  回転発光演出部(発光演出手段)
１０２  発光部
１０３ａ  発光体
１０４  レンズ部材
１０５  凹面反射部
１０７  第３駆動モータ(駆動手段)
１１０  回転リフレクタ
１１２  スリット(光透過部)
１１５  固定リフレクタ
１１７  第１の固定反射面(第１の反射面)
１１９  第２の固定反射面(第２の反射面)
Ｌ  基準線
Ｍ  基準面
Ｒ  回転軸線
【図１】
0005762916.tif 000002
【図２】
0005762916.tif 000003
【図３】
0005762916.tif 000004
【図４】
0005762916.tif 000005
【図５】
0005762916.tif 000006
【図６】
0005762916.tif 000007
【図７】
0005762916.tif 000008
【図８】
0005762916.tif 000009
【図９】
0005762916.tif 000010
【図１０】
0005762916.tif 000011
【図１１】
0005762916.tif 000012
【図１２】
0005762916.tif 000013
【図１３】
0005762916.tif 000014
【図１４】
0005762916.tif 000015
【図１５】
0005762916.tif 000016